(57)【特許請求の範囲】
【請求項１】
撮像部と、カメラ本体と、前記カメラ本体の所定の面に配置された液晶モニタと、前記液晶モニタの外側に配置され前記カメラ本体に開閉可能に軸支された液晶カバーと、前記液晶カバーの開閉を検出する検出手段と、前記検出手段により検出された結果によって画像をそのまま映し出す正立画像と左右反転させて映し出す鏡像画像を選択的に液晶モニタに映し出す制御手段と、前記液晶カバーに設けられたハーフミラーからなる液晶窓を備え、
前記検出手段により前記液晶カバーが閉じた状態であることが検出された場合、前記制御手段により前記液晶モニタに正立画像が映し出され、前記液晶モニタ上の画像が前記液晶窓を透過して正立画像として表示され、
前記検出手段により前記液晶カバーが開いた状態であることが検出され場合、前記制御手段により前記液晶モニタに鏡像画像が映し出され、前記液晶モニタ上の画像が前記液晶窓の前記液晶モニタ側の面で反射して正立画像として表示されることを特徴とするディジタルカメラ。
【請求項２】
請求項１に記載のディジタルカメラであって、
前記液晶窓が、プラスティックまたは硝子からなる平面板の片面にハーフミラーコーティングを施したものであることを特徴とするディジタルカメラ。
【発明の詳細な説明】
【０００１】
【発明の属する技術分野】
本発明は、画像出力手段として液晶画面を有するディジタルカメラに関し、特に液晶画面を覆う液晶カバーに関する。
【０００２】
【従来の技術】
従来、液晶一体型ディジタルカメラにおいては、画像出力手段の１つとして筐体の外面の一部に液晶画面を有し、被写体を液晶で確認しながら撮影したり、記録した画像を出力することができるのが一般的である。さらに最近では、撮像レンズをカメラの筐体の長手方向に対して平行にレンズを搭載し、片手でのホールド感を向上すると共に、小型化を図った構造である。ここで、液晶部は、液晶パネル、バックライト及び液晶駆動回路基板を一体の液晶ユニットとし、液晶ユニットの一部を本体に軸支し、液晶ユニット自体が開閉可能にしたディジタルカメラが提案されている。
【０００３】
【発明が解決しようとする課題】
しかしながら従来の技術においては、液晶画面、バックライト及び液晶駆動回路等を一体のユニットとして開閉させるため、動かす液晶ユニットが大型化するとともに回動軸に高い強度を必要となるため、カメラ全体として大型化するという問題があった。また、液晶駆動回路等とカメラ本体の電気的結線が煩雑となり、機構も複雑になり、それにともなって、コストも高くなってしまうといった問題があった。
【０００４】
本発明の目的は、不用意に液晶画面を汚す心配もなく、低コストで、かつ簡単な構成で液晶画面の表示方向を変化させることが可能なディジタルカメラを提供することにある。
【０００５】
【課題を解決するための手段】
前記課題を解決するために本発明は、撮像部と、カメラ本体と、前記カメラ本体の所定の面に配置された液晶モニタと、前記液晶モニタの外側に配置され前記カメラ本体に開閉可能に軸支された液晶カバーと、前記液晶カバーの開閉を検出する検出手段と、前記検出手段により検出された結果によって画像をそのまま映し出す正立画像と左右反転させて映し出す鏡像画像を選択的に液晶モニタに映し出す制御手段と、前記液晶カバーに設けられたハーフミラーからなる液晶窓を備え、前記検出手段により前記液晶カバーが閉じた状態であることが検出された場合、前記制御手段により前記液晶モニタに正立画像が映し出され、前記液晶モニタ上の画像が前記液晶窓を透過して正立画像として表示され、前記検出手段により前記液晶カバーが開いた状態であることが検出され場合、前記制御手段により前記液晶モニタに鏡像画像が映し出され、前記液晶モニタ上の画像が前記液晶窓の前記液晶モニタ側の面で反射して正立画像として表示されることを特徴とするディジタルカメラに関する。
【０００７】
また、前記液晶窓が、プラスティックまたは硝子からなる平面板の片面にハーフミラーコーティングを施したものであることを特徴とするディジタルカメラに関する。
【０００８】
上記構成によれば、不用意に液晶画面を汚す心配もなく、低コストで、かつ簡単な構成で液晶画面の表示方向を変化させることが可能なディジタルカメラを実現できる。
【０００９】
【発明の実施の形態】
以下、図面を参照して、本発明の実施の形態を詳しく説明する。
図１は本発明によるディジタルカメラの実施例を示す平面図、図２は図１の斜視図である。図において、液晶画面８はカメラ本体３の一面に撮像レンズ９の光軸と平行して配置され、液晶カバー１は、液晶画面８に平行に装備すると共に、その一端にヒンジ部２によりカメラ本体３に軸支されている。中央部には、アクリルを材料とした平面板の片面にハーフミラーコーティングを施した液晶窓４を装備する。平面板の材料には硝子を用いても良い。
【００１０】
ヒンジ部２とは反対側に凹部５、凸部６を有し、凹部５は、液晶カバー１を閉じた状態においてカメラ本体３の凸部７に嵌合され、液晶カバー１がカメラ本体３にロックされる。
【００１１】
この液晶カバー１が閉じた状態のとき、液晶窓４の中心と液晶画面８の中心が一致し、液晶画面の表示内容が液晶カバー１の液晶窓４を通して見ることができるようになっている。カメラ本体３に検出孔１０をもうけており、検出孔１０の内面に検出スイッチ１１を配置している。液晶カバー１が閉じると、検出スイッチ１１はＯＮになる。
【００１２】
図３は、検出孔１０の拡大図であり、液晶カバー１が閉じた状態のときには凸部６が検出孔１０を通り、検出スイッチ１１の検出部１１ａを押圧し、検出スイッチ１１がＯＮの状態になる。逆に液晶カバー１が開くと凸部６が検出部１１ａから離れるため、検出スイッチ１１はＯＦＦになる。
【００１３】
図４は、液晶カバー１の拡大図であるが、液晶窓４は液晶カバー１に接着固定され、液晶カバー１と一体に動く。
【００１４】
図５はヒンジ部２の詳細を示し、ヒンジ部２はシャフト１２に圧入されており、ある一定のトルク以上（例えば２００ｇｆ／ｍｍ）の力で動くように構成されている。液晶カバー１を開いていくと、ある一定の角度（例えば４５度）で止まるようにストッパー１３にヒンジ部２の一部が当たるように構成されている。
【００１５】
液晶カバー１を液晶画面に対し４５度になるように開くと、液晶カバー１を閉じた状態とは９０度回転した方向から液晶画面８の画像を液晶窓４上に反射させてみることができる。液晶画面８には鏡像が表示されているため、液晶窓４の反射を通して見ると正立画像として見ることができる。
【００１６】
図６は、液晶カバー１とカメラ本体３のロック機構を示す図であり、カメラ本体３の凸部７は、ＡＢＳ，ＰＯＭ等の弾性部材からなり、凸部７の左右にはスリットがあいている。液晶カバー１が閉められると、まず液晶カバー１の一端が凸部７に接すると共に押圧する。凸部７は弾性部材であるため、押圧された方向にたわみ、凹部５に嵌合することによりロックされる。開く方向においても、同様に凸部７がたわむことにより、ロックが解除される。
【００１７】
図７は、本発明によるディジタルカメラ全体の概略ブロック図である。撮像部１７において得られた画像データは、画像処理部１８で処理され、一旦メモリ１９に記録される。メモリに記録された画像は、液晶ドライバ２１によって液晶モニタ２２により画像データを出力する。液晶表示制御部２０は、検出スイッチ１１の状態により、液晶モニタ２２の表示方法を制御する。検出スイッチ１１がＯＮの場合には、被写体をそのまま映し出す正立画像を液晶画面に表示するように制御し、検出スイッチ１１がＯＦＦの場合には、被写体を左右反転するような鏡像を液晶画面に表示するように制御する。ここで液晶モニタ２２は回路的な意味を含めたものであり、外観的には液晶画面８と同一のものである。
【００１８】
図８は、これらの流れを示すフローチャートである。
【００１９】
【発明の効果】
以上、説明したように本発明は、従来の液晶ユニットのような大型で、また構造の複雑な部材を動かすことなく、薄く簡単な構造の液晶カバーを開閉するだけで、複数方向から液晶画面を見ることができ、不用意に液晶画面を汚す心配もなく、低コストで、かつ簡単な構成で液晶画面の表示方向を変化させることが可能なディジタルカメラを提供できる。
【図面の簡単な説明】
【図１】本発明によるディジタルカメラの実施例の外観を示す側面図である。
【図２】図１の斜視図である。
【図３】図２の検出部の実施例を示す斜視図である。
【図４】図２の液晶カバーの実施例を示す斜視図である。
【図５】図１のヒンジ部の部分斜視図である。
【図６】液晶カバーのロック部を示す部分斜視図である。
【図７】本発明によるディジタルカメラの回路構成を示すブロック図である。
【図８】液晶カバーの開閉に伴う動作を説明するフローチャートである。
【符号の説明】
１・・・  液晶カバー
２・・・  ヒンジ部
３・・・  カメラ本体
４・・・  液晶窓
５・・・  液晶カバーの凹部
６・・・  液晶カバーの凸部
７・・・  カメラ本体の凸部
８・・・  液晶画面
９・・・  撮像レンズ
１０・・・  検出孔
１１・・・  検出スイッチ
１２・・・  シャフト
１３・・・  ストッパー
１４・・・  レリーズボタン
１５・・・  電源スイッチ
１６・・・  液晶スイッチ
１７・・・  撮像部
１８・・・  画像処理部
１９・・・  メモリ
２０・・・  液晶表示制御部
２１・・・  液晶ドライバ
２２・・・  液晶モニタ
２３・・・  液晶カバー検出部
２５・・・  操作部
２７・・・  電池
２８・・・  電源制御回路
【図１】
0003631610.tif 000002
【図２】
0003631610.tif 000003
【図３】
0003631610.tif 000004
【図４】
0003631610.tif 000005
【図５】
0003631610.tif 000006
【図６】
0003631610.tif 000007
【図７】
0003631610.tif 000008
【図８】
0003631610.tif 000009